(57)【要約】本発明は、通信ネットワークの中央コントローラとネットワークの端末の間の又は、ネットワークの２つの端末の間のいずれかの、接続をテストする方法に関連する。両場合に、端末はテストパターンデータを送信し、それは、テストされる接続を介して他の装置によりエコーバックされる。ある状況では、現在ある接続を妨害することなしに要求されるテスト接続を確立することができるように、端末は中央コントローラに２回登録する。本発明は、本方法を実行する装置にも関連する。本発明は、ハイパーラン２ネットワークで使用されることが可能である。
2005505992.tif 000002
【特許請求の範囲】
【請求項１】
中央コントローラ（１０）と中央コントローラに関連する少なくとも１つの端末（１１）を有する中央化通信ネットワーク内での無線リンク適応の方法であって、
（ａ）端末から中央コントローラ（１０）へ第１の接続（１２）を開始するステップと、
（ｂ）中央コントローラ（１０）から端末（１１）へ第２の接続（１３）を開始するステップと、
（ｃ）端末（１１）に、この第２の接続（１３）を介して使用される接続パラメータ値の組を決定させるステップと、
（ｄ）端末（１１）に、第１の接続を介して、テストパターンデータを中央コントローラへ送信させるステップと、
（ｅ）中央コントローラ（１０）から端末（１１）へ、接続パラメータの組を適用する第２の接続（１３）を介して、テストパターンデータを送るステップと、
（ｆ）端末（１０）に、端末（１１）により受信されたテストパターンデータに基づいて、第２の接続（１３）の品質基準を評価させるステップと、
を有することを特徴とする、方法。
【請求項２】
前記品質基準は、接続パラメータ値の幾つかの組について評価される、請求項１に記載の方法。
【請求項３】
更に、
最高の品質い対応する接続パラメータの組を選択し、接続パラメータのこの組を現在ある接続（１４）に適用するステップを有する、請求項２に記載の方法。
【請求項４】
前記接続パラメータは、物理的伝送モードを含む、請求項１乃至３のうちいずれか一項に記載の方法。
【請求項５】
端末（１１）から中央コントローラ（１０）へ送られるテストパターンデータは、強い接続を定義する接続パラメータ値で第１の接続（１２）を介して送られる、請求項１乃至４のうちいずれか一項に記載の方法。
【請求項６】
更に、
端末（１１）に、２つの別個の媒体アクセス制御識別子（ＭＴ１１，ＭＴ１１’）を得るために中央コントローラとの２つの関連付けを実行させるステップを有し、第１の媒体アクセス制御識別子（ＭＴ１１）は接続評価以外の目的のために保持され、第２の媒体アクセス制御識別子（ＭＴ１１’）は接続評価のために保持される、請求項１乃至５のうちいずれか一項に記載の方法。
【請求項７】
前記第２の接続は、第２の媒体アクセス制御識別子（ＭＴ１１’）を使用して設定される、請求項６に記載の方法。
【請求項８】
接続パラメータの組は、更に、端末の受信器のアンテナセクタを有する、請求項６或は７に記載の方法。
【請求項９】
前記第２の関連付けは、第１の関連付けについて使用されたのとは異なる中央コントローラアンテナセクタを選択するステップを有する、請求項６乃至８のうちいずれか一項に記載の方法。
【請求項１０】
前記通信ネットワークは、ハイパーラン２ネットワークである、請求項１乃至９のうちいずれか一項に記載の方法。
【請求項１１】
中央コントローラ（１０）と中央コントローラに関連する第１の端末（１１）と第２の端末（１２）を有する中央化通信ネットワーク内での無線リンク適応の方法であって、
（ａ）第２の媒体アクセス制御識別子（ＭＴ１１’）を得る為に、第１の端末（１１）に、第２の時間を中央コントローラと関連付けさせるステップと、
（ｂ）第２の媒体アクセス制御識別子（ＭＴ１１’）を使用して、第１の端末（１１）に、第２の端末（１２）への第１の直接モード接続を確立させるステップと、
（ｃ）第１の端末（１１）に、第２の端末（１２）からの第２の直接モード接続を開始させるステップと、
（ｄ）第１の端末（１１）に、この第２の接続を介して使用される接続パラメータ値の組を決定させるステップと、
（ｅ）第１の端末（１１）に、第１の接続を介して第２の端末（１２）へテストパターンデータを送らせるステップと、
（ｆ）接続パラメータの組を適用する第２の接続を介して、第２の端末（１２）から第１の端末（１１）へ、テストパターンデータを送るステップと、
（ｇ）第１の端末（１１）により受信されたテストパターンデータに基づいて、第１の端末（１１）に、第２の接続の品質基準を評価させるステップと、
を有することを特徴とする、方法。
【請求項１２】
前記品質基準は、接続パラメータ値の幾つかの組について評価される、請求項１１に記載の方法。
【請求項１３】
前記接続パラメータは、少なくとも１つの物理的伝送モード、前記第１の端末の受信器のアンテナセクタを有する、請求項１１或は１２に記載の方法。
【請求項１４】
前記接続パラメータは、第２の端末の送信器のアンテナセクタを含む、請求項１１乃至１３のいずれか一項に記載の方法。
【請求項１５】
前記端末から前記中央コントローラへ送られる前記テストパターンデータは、強い接続を定義する接続パラメータ値で第１の接続を介して送られる、請求項１１乃至１４のいずれか一項に記載の方法。
【請求項１６】
前記通信ネットワークは、ハイパーラン２ネットワークである、請求項１１乃至１５のいずれか一項に記載の方法。
【請求項１７】
端末が関連する中央コントローラ（１０）を含む中央化通信ネットワーク内の端末（１１）であって、中央コントローラ（１０）へテストパターンデータを送るために中央コントローラ（１０）への第１の接続（１２）を確立し、前記コントローラからの前記テストパターンデータを受信するため中央コントローラからの第２の接続（１３）を確立し且つ、伝送パラメータの所定の組についての前記第２の接続（１３）を評価する、手段を有する、ことを特徴とする、端末。
【請求項１８】
中央コントローラから、少なくとも２つの媒体アクセス制御識別子（ＭＴ１１，ＭＴ１１’）を得る手段を有する、請求項１７に記載の装置。
【請求項１９】
端末が関連する中央コントローラ（１０）と目標装置（１２）を含む中央化通信ネットワーク内の端末（１１）であって、端末は、中央コントローラ（１０）から少なくとも２つの媒体アクセス制御識別子を得る手段と、目標装置へテストパターンを送るために端末から目標装置への第１の接続を確立し、前記目標装置から前記テストパターンデータを受信するために目標装置から端末への第２の接続を確立し、伝送パラメータの所定の組について前記第２の接続を評価する、手段を有することを特徴とする、端末。
【発明の詳細な説明】
【０００１】
本発明は、無線リンクの伝送パラメータを適応させる方法及び装置に関連する。限定はされないが、ハイパーラン（Ｈｉｐｅｒｌａｎ）２ネットワークの状況で使用されることが可能である。
【０００２】
無線ネットワークでは、無線リンクを介して通信する２つの装置は、それらの伝送パラメータを動的に設定することが要求される。そのようなパラメータは、多くのパラメータの中で、：
−物理的モード（例えば、変調と誤り訂正）、
−送信器側では最大電力を正しい方向へ送るためのそして、受信器側では最大の利得を得るための両方での、マルチセクタンテナの場合の、アンテナセクタ又は素子、を含みうる。
【０００３】
適切なパラメータを選択することは、無線リンクの強さと性能に直接的な影響を有する。例えば、電力と帯域幅のような、厳密に必要な量の資源を使用することが望ましい。
【０００４】
接続パラメータの調整は、現在の動作する接続を、特に、ビデオストリームを送っている接続を妨害すべきではない。更に、チャネル特性は、時間と共に変化し、予測できない時点で伝送接続パラメータの再調整が必要とされ、これらの特性の評価は任意の時点で可能であるべきである。
【０００５】
本発明は、
中央コントローラと中央コントローラに関連する少なくとも１つの端末を有する中央化通信ネットワーク内での無線リンク適応の方法であって、
（ａ）端末から中央コントローラへ第１の接続を開始するステップと、
（ｂ）中央コントローラから端末へ第２の接続を開始するステップと、
（ｃ）端末に、この第２の接続を介して使用される接続パラメータ値の組を決定させるステップと、
（ｄ）端末により、第１の接続を介して、テストパターンデータを中央コントローラへ送信するステップと、
（ｅ）中央コントローラから端末へ、接続パラメータの組を適用する第２の接続を介して、テストパターンデータを送るステップと、
（ｆ）端末に、端末により受信されたテストパターンデータに基づいて、第２の接続の品質基準を評価させるステップと、
を有することを特徴とする、方法に関連する。
【０００６】
中央コントローラに、テストパターンをミラーにして端末に戻させることにより、後者は、接続の品質を確認でき、そして、結果的に、現在の及び又は将来の接続のパラメータを修正することができる。
【０００７】
本発明の実施例に従って、本発明は、更に、端末に、２つの別個の媒体アクセス制御識別子を得るために中央コントローラとの２つの関連付けを実行させるステップを有し、第１の媒体アクセス制御識別子は接続評価以外の目的のために保持され、第２の媒体アクセス制御識別子は接続評価のために保持される。
【０００８】
ある状況では、接続試験を実行するときに現在ある接続を妨害することを避けるために、単一の端末に、中央コントローラと２回関連付けさせることを可能とすることが望ましい。
【０００９】
本発明は、中央コントローラと中央コントローラに関連する第１の端末と第２の端末を有する中央化通信ネットワーク内での無線リンク適応の方法であって、
（ａ）第２の媒体アクセス制御識別子を得る為に、第１の端末に、第２の時間を中央コントローラと関連付けさせるステップと、
（ｂ）第２の媒体アクセス制御識別子を使用して、第１の端末に、第２の端末への第１の直接モード接続を確立させるステップと、
（ｃ）第１の端末に、第２の端末からの第２の直接モード接続を開始させるステップと、
（ｄ）第１の端末に、この第２の接続を介して使用される接続パラメータ値の組を決定させるステップと、
（ｅ）第１の端末に、第１の接続を介して第２の端末へテストパターンデータを送らせるステップと、
（ｆ）接続パラメータの組を適用する第２の接続を介して、第２の端末から第１の端末へ、テストパターンデータを送るステップと、
（ｇ）第１の端末により受信されたテストパターンデータに基づいて、第１の端末に、第２の接続の品質基準を評価させるステップと、
を有することを特徴とする、方法にも関連する。
【００１０】
本発明の他の目的は、端末が関連する中央コントローラを含む中央化通信ネットワーク内の端末であって、中央コントローラへテストパターンデータを送るために中央コントローラへの第１の接続を確立し、前記コントローラからの前記テストパターンデータを受信するため中央コントローラからの第２の接続を確立し且つ、伝送パラメータの所定の組についての前記第２の接続を評価する、手段を有する、ことを特徴とする、端末である。
【００１１】
本発明の他の目的は、端末が関連する中央コントローラと目標装置を含む中央化通信ネットワーク内の端末であって、端末は、中央コントローラから少なくとも２つの媒体アクセス制御識別子を得る手段と、目標装置へテストパターンを送るために端末から目標装置への第１の接続を確立し、前記目標装置から前記テストパターンデータを受信するために目標装置から端末への第２の接続を確立し、伝送パラメータの所定の組について前記第２の接続を評価する、手段を有することを特徴とする、端末である。
【００１２】
本発明の他の特徴と利点は、図面の助けで説明される、本発明の実施例の記載から明らかとなろう。
【００１３】
本実施例は、広帯域無線アクセスネットワーク（ＢＲＡＮ）ハイパーラン（ＨＩＰＥＲＬＡＮ）タイプ２ネットワークに基づいている。このネットワークは、欧州通信規格協会（Ｅｕｒｏｐｅａｎ  Ｔｅｌｅｃｏｍｍｕｎｉｃａｔｉｏｎ  Ｓｔａｎｄａｒｄｓ  Ｉｎｓｔｉｔｕｔｅ）により規定されている。ハイパーラン２は、時分割二重（ＴＤＤ）及び動的時分割多重アクセス（ＴＤＭＡ）に基づいている。ハイパーラン２では、移動端末（ＭＴ）は、アクセスポイント（ＡＰ）又は他の移動端末と通信できるように、アクセスポイント（ＡＰ）と呼ばれる中央装置と関連（即ち、登録）する。アクセスポイントはある場合には中央コントローラとも呼ばれる。関連付け中に、アクセスポイントは、媒体アクセス制御識別子（ＭＡＣ  ＩＤ）を移動端末に割当てる。この識別子は、所定の時間において、アクセスポイントネットワーク内で唯一である。移動端末が接続を設定したい場合には、対応する要求をアクセスポイントへ送り、これは、接続識別子（データリンク制御接続識別子ＤＬＣＣ  Ｉｄ）を送ることにより応答する。１つの移動端末により並列に設定された幾つかの接続が存在する。
【００１４】
移動端末又はアクセスポイントである、ノードは、８素子までを有するマルチセクタアンテナを有しうる。
【００１５】
中央化モード（ＣＭ）と呼ばれる、第1のハイパーラン２伝送モードに従って、制御データか又はペイロードデータの全てのデータは、データが直接的に通信できうる移動端末間で交換される場合でさえも、アクセスポイントを通して通過する。直接モード（ＤＭ）と呼ばれる、第２のハイパーラン２伝送モードに従って、同じアクセスポイントに関連する移動端末は、アクセスポイントを通すことなしにデータを交換するが、しかし交換はその制御下である。
【００１６】
本発明の第1の実施例を、図１と２を参照して説明する。
【００１７】
図１は、アクセスポイント１０と移動端末１１を有するは−パーラン２ネットワークを示す図である。もちろん、他の移動端末も既に関連されうるが、しかし、図1には示されていない。アクセスポイントは、所定の接続パラメータ値を有する、接続ＤＵＣ  Ａを通して移動端末１１へビデオストリームを送っている。接続識別子ＤＬＣＣ  Ｉｄは例えば、値１０である。
【００１８】
移動端末１１は、現在の接続を維持しながら、代わりの接続が更に効率的であるかどうかを検査することを決定する（この処理は前に存在する接続がないときにも実行されうるに注意する）。
【００１９】
本実施例に従って、移動端末は、第２の接続（例えば、’５’のＤＬＣＣ  Ｉｄを有するＤＵＣ  Ｂ）を開く。移動端末はそして、アクセスポイントへ予め定められたテストパターンを送信する（図１の’テストパターンリンク１２’）。本実施例に従って、テストパターンデータは、ランダムに発生される。好ましくは、移動端末からアクセスポイントへのこの伝送についてのリンクパラメータは、この通信を強するように選択される。本実施例に従って、符号化レート１／２を有するＢＰＳＫ変調に対応する物理的なモードが、選択される。
【００２０】
アクセスポイントは、このテストデータをＤＵＣ  Ｃを通して移動端末（図１の’中継されたテストパターンリンク１３’）へ戻す。この戻り伝送について、移動端末は所定の接続パラメータ値を規定する。移動端末はそして、アクセスポイントから自分自身への接続の品質を評価するために、受信されたテストパターンデータに基づいて、品質基準を評価する。この戻り接続のＤＬＣＣ  Ｉｄの例は、１１に等しい。
【００２１】
本実施例に従って、接続品質パラメータは、信号電力である。本実施例の変形に従って、接続品質基準は、パケット誤り損失である。
【００２２】
好ましくは、移動端末からアクセスポイントへそして移動端末へ戻るテストデータの伝送は、移動端末により規定される異なる接続パラメータを用いて、数回実行される。本実施例に従って、移動端末は、異なる物理的モード（即ち、変調形式と符号化レートの組み合わせ）を通して循環する。
【００２３】
移動端末は、パラメータ値の各組について品質基準を評価する。そして、最高品質を与えるパラメータの組を選択する。
【００２４】
好ましくは、テストパターンデータ伝送は、小さな量の帯域幅資源のみを使用するように指定される。
【００２５】
ビデオストリーム接続がテストパターン接続により影響されないことにも注意する。
【００２６】
アクセスポイントは、中立のミラー装置として使用され得る。それは、単に中継器である。
【００２７】
移動端末の責務は：
（ａ）それ自身からアクセスポイントへそしてそれ自身へ戻る、アクセスポイントとの接続を開始する。
（ｂ）送信される適切な長さのビットパターンと物理的なモード（ビットレート）を選択し、そして、戻り経路についてこれらのパラメータを設定するように、アクセスポイントへ要求する。
【００２８】
選択的な以下のステップｃは、移動端末が接続品質をテストする接続以外の開いた他の接続を有しない場合にのみ、他の接続の混乱を避けるために、ハイパーラン２ネットワーク内で実行される：
（ｃ）それ自身のアンテナセクタ番号を変更する。
【００２９】
図２は、上記の交換に関連するデータがハイライトされている、ＭＡＣフレームの概略図である。もちろん、ＭＡＣフレームは図２に示された以外の他のデータも含む。この例は、１セクタアンテナのみに適用される。
【００３０】
２重接続ＭＴ−ＡＰ−ＭＴは、直接モードの中継器としてアクセスポイントを使用して設定される。直接モードの接続では、中継器は、それらの間で直接モード接続が確立されるべき２つの移動端末の間に直接接続がないときに、使用される。
【００３１】
本発明の場合には、移動端末１１は、ピアＭＡＣ  Ｉｄとしてそれ自身のＭＡＣ  Ｉｄを規定する、’ＲＬＣ＿ＤＭ＿ＲＥＬＡＹ＿ＳＥＴＵＰ’メッセージを、アクセスポイント１０へ送る。一方は移動端末からそしてアクセスポイントの及び他方はアクセスポイントからそして移動端末の接続に対しての接続パラメータは、これらのメッセージにも規定される。アクセスポイントは、それ自身から移動端末への接続に関して要求される接続パラメータを確認する。
【００３２】
以下は、接続は既に設定されているものとする。
【００３３】
図２のフレームＴでは、アップリンク段階中に、移動端末１１は、（図２の’ＰＨＹモードｘ’とラベルが付されている）前述の強い物理的モードを使用して、アクセスポイント１０へテストパターンデータを送信し、そして、このデータをそれ自身へ戻して送信するように要求する。移動端末１１は、アクセスポイントへ適切なＲＬＣ＿ＤＭ＿ＲＥＬＡＹ＿ＭＯＤＩＦＹメッセージを送ることにより、そのテスト接続について、物理的モード（即ち、選択されたテストモード）の変更も要求する。
【００３４】
アクセスポイント１０は、ＲＬＣ＿ＤＭ＿ＲＥＬＡＹ＿ＭＯＤＩＦＹ＿ＡＣＫメッセージ内の適切な情報を通してテスト接続についての物理的なモードを確認する（アクセスポイントから移動端末への接続のＤＬＣＣ＿ＩＤの存在）。ある数のＬＣＨパケットは、移動端末の３つの接続（前方テスト接続、戻りテスト接続、ビデオリンク）へ許可される。所定のフレーム内の各移動端末についての連続するパケットの１つの’プロトコルデータユニット’（ＰＤＵ）列である、これらのパケットは、フレームＴ＋１のダウンリンク段階中に、移動端末へビデオデータとテストパターンデータの両方を送るのに使用される。他のダウンリンク段階の資源は、（図２で集合的にＭＴｉと呼ばれる）他の移動端末に許可されうる。同じフレームのアップリンク段階中に、移動端末１１は、新たな組の接続パラメータ値と共に、宛先ノードとしての移動端末自身で、（前と同じでもよい）次のテストパターンデータをアクセスポイント１０へ送る。
【００３５】
フレームＴ＋２は、接続パラメータの変化を除いては、フレームＴ＋１と同様である。
【００３６】
一旦、移動端末が、接続パラメータの全ての組をテストすると、最良のパラメータを決定し、そして、アクセスポイントへ、ＲＬＣ＿ＤＵＣ＿ＭＯＤＩＦＹメッセージを使用して、これらのパラメータを現在のダウンリンクビデオ接続へ適用するように要求する。
【００３７】
本発明の第２の実施例を、説明する。
【００３８】
第１の実施例は、移動端末が、マルチセクタアンテナの場合に、そのアンテナの異なるセクタをテストすることを可能とする。それは、移動端末が、アクセスポイントの側のアンテナセクタを規定することを可能とはしない。確かに、ハイパーラン２に従って、アクセスポイントは、移動端末の関連付け中に選択するアンテナセクタを使用すべきである。
【００３９】
更に、第１の実施例では、所定の移動端末についての全てのＰＤＵは、これらのパケットがどの論理接続に属しようが、ほぼ連続のパケットの唯一の列で送られる。この結果、２つの論理接続の間のセクタの変化−即ち、図１の動作ビデオ接続とテストパターン接続−は、受信された信号の劇的な変化となり、そして、従って、受信機の等化器をアンロックするので、第１の実施例の移動端末１１は、この信号トランクの（即ち、１つ又はそれ以上の接続に対応する同じＰＤＵ列内の）受信アンテナの異なるセクタの可能性を検査することはできない。ＭＡＣフレームは、この可能性を考えて設計されていない。
【００４０】
本発明の第２の実施例に従って、移動端末１１は、テスト接続パラメータへのアクセスポイントとの特別の関連付けを生成する。図１の場合には、移動端末１１は、既にそれが関連付けられているので、第２の時間をアクセスポイント１０と関連付ける。そのようにすることにより、移動端末は２つの異なるＭＡＣ  ＩＤを所有する。アクセスポイントは同じ移動端末が一度以上登録されていることを知らない。以下に、移動端末１１の２つのＭＡＣＩＤは、それぞれＭＴ１１とＭＴ１１’と呼ばれる。
【００４１】
図３は、この複製の結果のＭＡＣフレームを表す。ＭＡＣ  ＩＤ複製の結果として、中継されたテストパターンデータは、少なくともプリアンブルだけビデオ接続のデータから物理的に離れた論理接続内で、アクセスポイントから移動端末へ送られる。このプリアンブルは、知られていないチャネル転送条件でＰＤＵ列のペイロードデータを受信することができるために、必要とされる。
【００４２】
更に、第２の関連付けは、第１の関連付けと異なるアクセスポイントアンテナセクタでなされることが可能であり、この追加のパラメータのテストを可能とする。移動端末は、適切なアクセスポイントアンテナセクタを規定する。
【００４３】
図６は、移動端末１１とアクセスポイント１０のソフトウェアスタックの図である。移動端末１１のＲＬＣレイヤとＤＬＣ  ＭＡＣレイヤが、複製される。
【００４４】
本発明の第１と第２の実施例は、アクセスポイントから移動端末への経路の評価に関する。
【００４５】
本発明の第３の実施例は、ここに説明するが、２つの移動端末間の、直接モード経路評価又はア−ツー−ピアリンクに関する。
【００４６】
図４は、図１のネットワークの図であり、追加の移動端末ＭＴ１２が追加されている。図４の例に従って、（ＭＡＣ  ＩＤ’ＭＴ１２’を有する）移動端末１２は、’１０’の値を有するＤＬＣＣ  ＩＤを有する接続を介して、移動端末１１へビデオストリームを送信している。移動端末１１は、’５’のＭＡＣ  ＩＤを有する。
【００４７】
移動端末１１は、移動端末１２からそれ自身へ代わりの接続のためのテストを決定する。動作ビデオ接続は、そのままである。現在あるリンクと共に並列にテストパターンデータを受信できるために、移動端末１１は以下のステップを実行する：
（ａ）複製された関連付けは、その間に、新たなＭＡＣ  ＩＤが得られる。このＭＡＣ  ＩＤＭＴ１１’は、例えば、’６’に等しい。
（ｂ）移動端末１１のテストソフトウェアは、ＭＡＣ  ＩＤＭＴ１１’に基づいて、それ自身と移動端末１２の間に蓄積された接続されたモード接続（図４のテストパターン接続と中継されたテストパターン接続）を確立する。この接続は、アクセスポイントで実行される適切なプロトコルを通して確立される（ＲＬＣ＿ＤＭ＿ＳＥＴＵＰメッセージ）。移動端末１１は、それ自身から移動端末１２へ、戻り接続に使用されるパラメータと共に、接続のために接続パラメータ−例えば、符号化レート１／２のＢＰＳＫ−を規定する。
（ｃ）移動端末１１は、前に定義された強い伝送パラメータを使用して、移動端末１２へテストパターンデータを送る。
（ｄ）移動端末１２は、その接続に規定されたパラメータを使用して、パターンデータを移動端末１１へ戻して中継する。
（ｅ）移動端末１１は、その品質基準を評価し、そして、パラメータの異なる組に必要な回数、ステップ（ｂ）から（ｅ）を繰り返す。
【００４８】
同様に、移動端末１２は移動端末１１から移動端末１２への接続をテストできる。
【００４９】
移動端末１１のソフトウェアスタックは、第２の実施例に関連して図６により示されたものと同じである。
【００５０】
現在のハイパーランドラフト仕様は、移動端末が、アクセスポイントと同じ方法で中継器として動作することを許さない。アクセスポイントについて既に現在あるのと同様な方法で、無線リンク制御レイヤのレベルで、移動端末がそのような可能性を含むことを提案する。
【００５１】
第３の実施例の変形として、例えば、適切なアプリケーションを通して、アプリケーションレベルで中継機能を含むことを提案する。この場合には、現在のドラフト仕様を修正することは要求されないが、しかし、そのような機能を有すべき任意の移動端末は、このアプリケーションを実行しなければならない。
【００５２】
また、移動端末１２から移動端末１１へ戻る中継接続で、接続パラメータ（物理的モード、送信アンテナセクタ．．．）を変更することを可能とするプロトコルを確立することが要求される。本実施例に従って、このプロトコルは、移動端末のアプリケーションレベルで確立される、アクセスポイントは、任意の特別なソフトウェア、を要求しない、即ち、ハイパーラン２仕様に従うことで十分である。
【００５３】
全３つの実施例の変形に従って、移動端末１１は、少なくとも戻りテストパターン接続（及び好ましくは前方テストパターン接続）について、前方誤り訂正がない、非受取通知誤り制御モードを選択する。最初の２つの実施例に関連して既に述べたように、戻り経路のそれと比較して無視できる全体的な劣化へのこの伝送の貢献を行うために、移動端末１２へテストパターンデータを送信するのに使用される物理的モードは、強い。
【図面の簡単な説明】
【００５４】
【図１】本発明の第１の実施例に従って、アクセスポイントと移動端末を有するネットワーク内の接続の概略図である。
【図２】テストパターンデータを中継する中継装置としてアクセスポイントを使用することを含む、本発明の第１実施例に従った、ＭＡＣフレームの概略図である。
【図３】同じ端末についてのＭＡＣ  ＩＤの増加を含む、本発明の第２実施例に従った、ＭＡＣフレームの概略図である。
【図４】直接モードで２つの端末の接続を試験するための、本発明の第3実施例に従った、アクセスポイントと２つの端末を有するネットワーク内の接続の概略図である。
【図５】第３実施例に従った、ＭＡＣフレームの概略図である。
【図６】本発明の第２と第３の実施例に従った、移動端末とアクセスポイントのソフトウェアスタックの概略図である。
【図１】
2005505992.tif 000003
【図２】
2005505992.tif 000004
【図３】
2005505992.tif 000005
【図４】
2005505992.tif 000006
【図５】
2005505992.tif 000007
【図６】
2005505992.tif 000008
【国際公開パンフレット】
2005505992.tif 000009
2005505992.tif 000010
2005505992.tif 000011
2005505992.tif 000012
2005505992.tif 000013
2005505992.tif 000014
2005505992.tif 000015
2005505992.tif 000016
2005505992.tif 000017
2005505992.tif 000018
2005505992.tif 000019
2005505992.tif 000020
2005505992.tif 000021
2005505992.tif 000022
2005505992.tif 000023
2005505992.tif 000024
2005505992.tif 000025
2005505992.tif 000026
2005505992.tif 000027
2005505992.tif 000028
2005505992.tif 000029
2005505992.tif 000030
【国際公開パンフレット（コレクトバージョン）】
2005505992.tif 000031
2005505992.tif 000032
【手続補正書】
【提出日】平成16年1月20日(2004.1.20)
【手続補正１】
【補正対象書類名】特許請求の範囲
【補正対象項目名】請求項１
【補正方法】変更
【補正の内容】
【請求項１】
中央コントローラ（１０）と中央コントローラに関連する少なくとも１つの端末（１１）を有する中央化通信ネットワーク内での無線リンク適応の方法であって、
（ａ）端末から中央コントローラ（１０）へ第１の接続（１２）を開始するステップと、
（ｂ）中央コントローラ（１０）から端末（１１）へ第２の接続（１３）を開始するステップと、
（ｃ）端末（１１）に、この第２の接続（１３）を介して使用される接続パラメータ値の組を決定させるステップと、
（ｄ）端末（１１）に、第１の接続を介して、テストパターンデータを中央コントローラへ送信させるステップと、
（ｅ）中央コントローラ（１０）から端末（１１）へ、接続パラメータの組を適用する第２の接続（１３）を介して、テストパターンデータを送るステップと、
（ｆ）端末（１０）に、端末（１１）により受信されたテストパターンデータに基づいて、第２の接続（１３）の効率を評価させるステップと、
を有することを特徴とする、方法。
【手続補正２】
【補正対象書類名】特許請求の範囲
【補正対象項目名】請求項２
【補正方法】変更
【補正の内容】
【請求項２】
前記品質基準は、接続パラメータ値の幾つかの組について評価される、請求項１に記載の方法。
【手続補正３】
【補正対象書類名】特許請求の範囲
【補正対象項目名】請求項３
【補正方法】変更
【補正の内容】
【請求項３】
更に、
最高の品質い対応する接続パラメータの組を選択し、接続パラメータのこの組を現在ある接続（１４）に適用するステップを有する、請求項２に記載の方法。
【手続補正４】
【補正対象書類名】特許請求の範囲
【補正対象項目名】請求項４
【補正方法】変更
【補正の内容】
【請求項４】
前記接続パラメータは、物理的伝送モードを含む、請求項１乃至３のうちいずれか一項に記載の方法。
【手続補正５】
【補正対象書類名】特許請求の範囲
【補正対象項目名】請求項５
【補正方法】変更
【補正の内容】
【請求項５】
端末（１１）から中央コントローラ（１０）へ送られるテストパターンデータは、伝送誤りを減少させる物理的なモードを有する接続パラメータ値で第１の接続（１２）を介して送られる、請求項１乃至４のうちいずれか一項に記載の方法。
【手続補正６】
【補正対象書類名】特許請求の範囲
【補正対象項目名】請求項６
【補正方法】変更
【補正の内容】
【請求項６】
更に、
端末（１１）に、２つの別個の媒体アクセス制御識別子（ＭＴ１１，ＭＴ１１’）を得るために中央コントローラとの２つの関連付けを実行させるステップを有し、第１の媒体アクセス制御識別子（ＭＴ１１）は接続評価以外の目的のために保持され、第２の媒体アクセス制御識別子（ＭＴ１１’）は接続評価のために保持される、請求項１乃至５のうちいずれか一項に記載の方法。
【国際調査報告】
2005505992.tif 000033
2005505992.tif 000034
2005505992.tif 000035
2005505992.tif 000036
2005505992.tif 000037